(57)【要約】【課題】玉鎖の耐久性を向上させることができるアーム部材を有する便器洗浄装置を提供すること。【解決手段】便器洗浄装置１は、洗浄水を貯留するタンク２と、タンク２の排水口２１を開閉する開閉弁７と、回動軸部材８１２と、開閉弁７に接続される玉鎖７１，７２と、回動軸部材８１２と玉鎖７１，７２とを接続し、回動軸部材８１２と一体で回動することで玉鎖７１，７２を引き上げるアーム部材８１と、を備え、アーム部材８１は、アーム部材８１が玉鎖７１，７２を引き上げる場合に、玉鎖を下方からガイドするガイド面８６２，８７２を有し、ガイド面は、基端から先端に延びて形成され、アーム部材８１が玉鎖７１，７２を引き上げる場合において、基端から横方向に延びる横方向ガイド面８６３，８７３と、下方に向けて延びる下方ガイド面８６４，８７４を有し、ガイド面８６２，８７２の少なくとも一部は、曲面形状及び／又は傾斜面形状に形成される。【選択図】図９
2019190204.tif 000002
【特許請求の範囲】
【請求項１】
洗浄水を貯留するタンクと、
前記タンクの排水口を開閉する開閉弁と、
回動軸部材と、
前記開閉弁に接続される玉鎖と、
前記玉鎖が取り付けられる玉鎖取付部を有し、前記回動軸部材と前記玉鎖とを接続し、前記回動軸部材と一体で回動することで前記玉鎖を引き上げるアーム部材と、を備え、
前記アーム部材は、前記アーム部材が前記玉鎖を引き上げる場合に、前記玉鎖を下方からガイドするガイド面を有し、
前記ガイド面は、前記玉鎖取付部側に位置する基端から先端に向けて延びて形成され、前記アーム部材が前記玉鎖を引き上げる場合において、該ガイド面の基端から横方向に延びる横方向ガイド面と、下方に向けて延びる下方ガイド面を有し、
前記ガイド面の少なくとも一部は、曲面形状及び／又は傾斜面形状に形成される便器洗浄装置。
【請求項２】
前記ガイド面は、先端側が曲面形状に形成される請求項１に記載の便器洗浄装置。
【請求項３】
前記ガイド面は、全体が曲面形状に形成される請求項１に記載の便器洗浄装置。
【請求項４】
前記ガイド面は、大洗浄用の大洗浄用ガイド面と、小洗浄用の小洗浄用ガイド面との２つのガイド面を備え、
前記大洗浄用ガイド面及び前記小洗浄用ガイド面は、前記回動軸部材の軸方向にずらした位置に配置される請求項１〜３のいずれかに記載の便器洗浄装置。
【発明の詳細な説明】
【技術分野】
【０００１】
本発明は、便器洗浄装置に関する。
【背景技術】
【０００２】
従来、洗浄水を貯留する洗浄タンクと、洗浄タンクの排水口を開閉する開閉弁と、回動軸部材と、開閉弁に接続される玉鎖と、回動軸部材と玉鎖とを接続し、回動軸部材と一体で回動することで玉鎖を引き上げるアーム部材と、を備える便器洗浄装置が知られている（例えば、特許文献１参照）。アーム部材は、ガイド面を有し、玉鎖を引き上げる場合に、回動軸部材が回動することで回動して、玉鎖をガイド面に沿って引き上げる。ガイド面には、玉鎖を取り付けた部分の一方側から他方側に向けて、玉鎖が配置される。
【先行技術文献】
【特許文献】
【０００３】
【特許文献１】特許第５６２５１９３号公報
【発明の概要】
【発明が解決しようとする課題】
【０００４】
特許文献１に記載のアーム部材のガイド面は、平板状に形成されており、玉鎖を引き上げる場合に、アーム部材が回動することで、垂直方向に延びる位置から、水平方向に延びる位置に、約９０度回動される。ガイド面の他方側の縁部において、玉鎖が鋭角に曲がった状態で、玉鎖を引き上げる。そのため、ガイド面の縁部において、玉鎖に負荷がかかり、玉鎖の耐久性が低下する可能性がある。
【０００５】
本発明は、玉鎖の耐久性を向上させることができるアーム部材を有する便器洗浄装置を提供すること目的とする。
【課題を解決するための手段】
【０００６】
本発明は、洗浄水を貯留するタンク（例えば、後述の便器洗浄タンク２）と、前記タンクの排水口（例えば、後述の排水口２１）を開閉する開閉弁（例えば、後述の排水弁７）と、回動軸部材（例えば、後述の回動軸部材８１２）と、前記開閉弁に接続される玉鎖（例えば、後述の第１玉鎖７１、第２玉鎖７２）と、前記玉鎖が取り付けられる玉鎖取付部（例えば、後述の第１引っ掛け部８６１、第２引っ掛け部８７１）を有し、前記回動軸部材と前記玉鎖とを接続し、前記回動軸部材と一体で回動することで前記玉鎖を引き上げるアーム部材（例えば、後述の引き上げアーム部材８１，９１）と、を備え、前記アーム部材は、前記アーム部材が前記玉鎖を引き上げる場合に、前記玉鎖を下方からガイドするガイド面（例えば、後述の第１ガイド面８６２、第２ガイド面８７２、大洗浄側円弧ガイド面９５２、小洗浄側円弧ガイド面９６２）を有し、前記ガイド面は、前記玉鎖取付部側に位置する基端から先端に向けて延びて形成され、前記アーム部材が前記玉鎖を引き上げる場合において、該ガイド面の基端から横方向に延びる横方向ガイド面（例えば、後述の第１直線状ガイド面８６３、第２直線状ガイド面８７３、第１上方側円弧ガイド面９５２ａ、第２上方側円弧ガイド面９６２ａ）と、下方に向けて延びる下方ガイド面（例えば、後述の第１円弧状ガイド面８６４、第２円弧状ガイド面８７４、第１下方側円弧ガイド面９５２ｂ、第２下方側円弧ガイド面９６２ｂ）を有し、前記ガイド面の少なくとも一部は、曲面形状及び／又は傾斜面形状に形成される便器洗浄装置（例えば、後述の便器洗浄装置１）に関する。
【０００７】
また、前記ガイド面は、先端側が曲面形状に形成されることが好ましい。
【０００８】
また、前記ガイド面は、全体が曲面形状に形成されることが好ましい。
【０００９】
また、前記ガイド面は、大洗浄用の大洗浄用ガイド面（例えば、後述の第１ガイド面８６２）と、小洗浄用の小洗浄用ガイド面（例えば、後述の第２ガイド面８７２）との２つのガイド面を備え、前記大洗浄用ガイド面及び前記小洗浄用ガイド面は、前記回動軸部材の軸方向にずらした位置に配置されることが好ましい。
【発明の効果】
【００１０】
本発明によれば、玉鎖の耐久性を向上させることができるアーム部材を有する便器洗浄装置を提供することができる。
【図面の簡単な説明】
【００１１】
【図１】本実施形態の便器装置の斜視図である。
【図２】本実施形態の便器洗浄装置の部分平面図である。
【図３】本実施形態の便器洗浄装置の縦断面図である。
【図４】電動洗浄機構部８の斜視図である。
【図５】図４のＡ−Ａ線断面図である。
【図６】回動軸部材と引き上げアーム部材との接続状態を示す斜視図である。
【図７】引き上げアーム部材の軸方向の位置を変更する場合を説明する図である。
【図８】図７の変形形態を示す図であって、引き上げアーム部材の軸方向の位置を変更する場合を説明する図である。
【図９】引き上げアーム部材を大洗浄側に回動させた状態を示す図であり、（ａ）は斜視図であり、（ｂ）はＢ−Ｂ線断面図である。
【図１０】引き上げアーム部材を小洗浄側に回動させた状態を示す図であり、（ａ）は斜視図であり、（ｂ）はＣ−Ｃ線断面図である。
【図１１】引き上げアーム部材の変形形態を示す斜視図である。
【図１２】変形形態の引き上げアーム部材を大洗浄位置又は小洗浄位置に回動させた状態を示す図である。
【発明を実施するための形態】
【００１２】
以下、本発明の実施形態について図面を参照して詳細に説明する。
図１は便器装置１００の斜視図である。便器装置１００は、図１に示すように、便器１０２が壁面ｆ２から突出して配置される壁掛けタイプである。便器装置１００は、床面ｆ１と壁面ｆ２とに跨って配置されたライニング１１０を有する。ライニング１１０は、壁パネルＰを有する。壁パネルＰは、前壁面Ｐ１と上壁面Ｐ２とを備える。便器１０２は、壁パネルＰの前壁面Ｐ１の前面に取り付けられている。なお、以下の説明において、便器１０２の便座１０３に着座した使用者から見た場合の前後の向きを前後方向とする。また、便器１０２の便座１０３に着座した使用者から見た場合の左右の向きを幅方向とする。更に、床面ｆ１に対する鉛直方向に沿う上下の向きを上下方向とする。
【００１３】
便器装置１００は、図１に示すように、便器１０２と、便座１０３と、ライニング１１０と、便器１０２を洗浄するための便器洗浄装置１と、を備えている。便器洗浄装置１は、ライニング１１０の内部に配置されている。
【００１４】
便器１０２は、ライニング１１０の壁パネルＰの前壁面Ｐ１の背面側に設けられた便器固定スタンド（図示せず）によって支持されている。便器１０２の上部には、便座１０３が回動可能に取り付けられている。
【００１５】
便器１０２の上方の前壁面Ｐ１には、図１に示すように、背凭れ板３ａが取り付けられ、背凭れ板３ａの一方側には、手摺部３ｂが前方に突出するように取り付けられている。手摺部３ｂの下方側であって、便器１０２の一方側の前壁面Ｐ１には、停電などの非常時に洗浄動作を実行させるための手動操作部１２０が設けられている。背凭れ板３ａの他方側には、電動洗浄機構部８（後述）における自動の便器洗浄等を操作するための操作スイッチ３ｃが取り付けられている。
【００１６】
図２は、便器洗浄装置１の部分平面図である。図３は、便器洗浄装置１の縦断面図である。
図２及び図３に示すように、便器洗浄装置１は、便器洗浄タンク２（タンク）と、ボールタップ給水栓３と、フロート４と、吐水管５と、オーバーフロー管６と、を備える。
また、便器洗浄装置１は、便器洗浄タンク２の下部に形成される排水口２１に設けられた排水弁７（開閉弁）と、排水弁７から上方へ延びる第１玉鎖７１及び第２玉鎖７２とを有する。
また、便器洗浄装置１は、排水弁７を操作して便器１０２に洗浄水を供給する電動洗浄機構部８を有する。本実施形態においては、電動洗浄機構部８により自動で洗浄を行う自動洗浄の便器洗浄装置１について説明する。
【００１７】
便器洗浄タンク２は、タンク本体２ａと、タンク蓋部２ｂと、を有する。タンク本体２ａは、上部が開口し、洗浄水を貯留可能な略直方体の容器である。便器洗浄タンク２は、上部において外部の給水管（図示せず）に接続される。また、便器洗浄タンク２は、下部における幅方向の中央に排水口２１が形成され、排水口２１は便器洗浄タンク２の下方に配置される便器１０２に連通している。
【００１８】
排水弁７は、排水口２１を開閉可能に覆っている略円形の蓋体により構成されている。
第１玉鎖７１及び第２玉鎖７２は、排水弁７に接続され、第１玉鎖７１又は第２玉鎖７２が上方に引き上げられると、排水弁７が開き、排水口２１から便器洗浄タンク２に貯留された洗浄水を流すように構成されている。
【００１９】
電動洗浄機構部８は、駆動部としての電動式のアクチュエータ８１１と、アクチュエータ８１１に接続される回動軸部材８１２と、引き上げアーム部材８１（アーム部材）と、連動軸部材８１３と、を備える。
【００２０】
回動軸部材８１２は、便器洗浄タンク２の内部の一方側（右側）の上方において、アクチュエータ８１１から他方側（左側）に水平方向に延びるように配置される。回動軸部材８１２は、アクチュエータ８１１に接続され、アクチュエータ８１１の駆動力により回動する。
【００２１】
回動軸部材８１２の他方側（左側）の端部には、引き上げアーム部材８１が接続される。引き上げアーム部材８１は、第１玉鎖７１及び第２玉鎖７２の上端から便器洗浄タンク２の上部で略水平方向に延びている。引き上げアーム部材８１は、回動軸部材８１２の回動に伴って、回動軸部材８１２と一体で回動可能に構成される。引き上げアーム部材８１は、第１玉鎖７１及び第２玉鎖７２と接続されている。引き上げアーム部材８１は、回動軸部材８１２と一体で回動することで、第１玉鎖７１及び第２玉鎖７２を引き上げる。
【００２２】
本実施形態においては、第１玉鎖７１は、大洗浄用の玉鎖である。第１玉鎖７１は、回動軸部材８１２と排水弁７とを接続する。第１玉鎖７１の一端は、引き上げアーム部材８１に取り付けられている。第１玉鎖７１の他端は、排水弁７に接続される。第２玉鎖７２は、小洗浄用の玉鎖である。第２玉鎖７２は、引き上げアーム部材８１と排水弁７とを接続する。第２玉鎖７２の一端は、引き上げアーム部材８１に接続される。第２玉鎖７２の他端は、排水弁７に接続される。引き上げアーム部材８１の詳細については後述する。
【００２３】
電動洗浄機構部８は、例えば、操作スイッチ３ｃ（図１参照）を操作することで、大量の洗浄水で便器１０２の洗浄を行う大洗浄モードと、小量の洗浄水で便器１０２の洗浄を行う小洗浄モードと、を操作することができる。具体的には、操作スイッチ３ｃを操作することで、図２に示すように、電動式のアクチュエータ８１１を動作させて、回動軸部材８１２を回動させる。回動軸部材８１２の回動方向の違いにより引き上げられる玉鎖が異なる。例えば、大洗浄モードが実行された場合には、回動軸部材８１２が第１回動方向Ｃ１（図４参照）に回動されて、第１玉鎖７１が吊り上げられて、排水弁７が引き上げられる。小洗浄モードが実行された場合には、回動軸部材８１２が第２回動方向Ｃ２（図４参照）に回動されて、第２玉鎖７２が吊り上げられて、排水弁７が引き上げられる。
【００２４】
連動軸部材８１３は、便器洗浄タンク２の内部の一方側（右側）の上方において、アクチュエータ８１１から一方側（右側）に水平方向に延びるように配置される。連動軸部材８１３は、アクチュエータ８１１を挟んで、回動軸部材８１２と同軸上に配置される。連動軸部材８１３は、回動軸部材８１２と一体的に回動可能に構成される。つまり、連動軸部材８１３を回動させると、回動軸部材８１２も回動する。連動軸部材８１３にはワイヤー部材Ｗ（図３参照）が接続され、停電などの非常時において手動操作部１２０を手動で操作することで、ワイヤー部材Ｗ（図３参照）を引っ張って、連動軸部材８１３及び回動軸部材８１２を回動させる。これにより、停電などの非常時に、第１玉鎖７１又は第２玉鎖７２を引き上げて、排水弁７を引き上げることにより、手動で洗浄動作を行うことができる。
【００２５】
オーバーフロー管６は、上部に開口部６ａを有し、上下方向に延びる略円筒状の管である。オーバーフロー管６は、下端側が、排水口２１に連通している。オーバーフロー管６は、便器洗浄タンク２に貯留された洗浄水の水位が所定位置を上回って溢れた際に、洗浄水が開口部６ａから流入して排水の際に便器へ流出するようになっている。
【００２６】
フロート４は、便器洗浄タンク２内の洗浄水の水位に伴って上下に移動する。フロート４は、フロート本体４１と、フロートアーム４２と、アーム軸４３と、を有する。
フロート本体４１は、水に浮く浮きであり、略円筒状のプラスチック素材で形成される。
アーム軸４３は、フロート本体４１から上下に移動可能に配置される。アーム軸４３の下端はフロート本体４１に接続される。
フロートアーム４２は、下端がアーム軸４３に接続され、フロート本体４１の上下移動に伴って縮んだり伸びたりするように屈曲している。フロートアーム４２は、フロート本体４１の上下移動に伴って、ボールタップ給水栓３の弁を開閉する。
【００２７】
吐水管５は、上下方向に延び、ボールタップ給水栓３から供給された洗浄水を便器洗浄タンク２へ供給する管である。吐水管５は、下端が開放され、便器洗浄タンク２内に貯留された水に浸漬されている。吐水管５は、上端側においてボールタップ給水栓３の側面に接続され、補給水供給口５１を有する。
【００２８】
ボールタップ給水栓３は、便器洗浄タンク２の内部に配置され、便器洗浄タンク２に貯留された洗浄水の水位に応じて、給水管（図示せず）から洗浄水を便器洗浄タンク２に供給する。ボールタップ給水栓３は、便器洗浄タンク２の幅方向に沿って延びる略円筒形の形状を有し、一方が給水管（図示せず）に接続され、他方がフロート４に接続される。また、ボールタップ給水栓３は、フロート４近傍の側部が分岐して吐水管５に接続され、給水管（図示せず）から供給された洗浄水を、吐水管５を介して便器洗浄タンク２に供給する。
【００２９】
電動洗浄機構部８の引き上げアーム部材８１の詳細について説明する。図４は、電動洗浄機構部８の斜視図である。図５は、図４のＡ−Ａ線断面図である。図６は、回動軸部材８１２と引き上げアーム部材８１との接続状態を示す斜視図である。図７は、引き上げアーム部材８１の軸方向の位置を変更する場合を説明する図である。図８は、図７の変形形態を示す図であって、引き上げアーム部材８１Ａの軸方向の位置を変更する場合を説明する図である。
【００３０】
図４に示すように、引き上げアーム部材８１は、一方側において回動軸部材８１２に固定されると共に、他方側に第１玉鎖７１及び第２玉鎖７２が取り付けられる。引き上げアーム部材８１は、一方側に形成され回動軸部材８１２の軸方向に延びる筒状軸部８３と、筒状軸部８３の他方側の先端から径方向の外側に延びる延出板８４と、延出板８４の径方向の外側の端部において回動軸部材８１２の軸方向の外側に突出する玉鎖取付部８５と、を有する。玉鎖取付部８５は、大洗浄用取付部８６と、小洗浄用取付部８７と、を有する。
【００３１】
引き上げアーム部材８１の一方側に形成される筒状軸部８３は、クリップ部材８８により回動軸部材８１２に取り付けられ、回動軸部材８１２と同軸上に配置される。筒状軸部８３は、筒状に形成され、内部には、回動軸部材８１２が挿入される。
【００３２】
図５に示すように、回動軸部材８１２の外周面には、軸方向に並んで形成される複数の一対の取付面８１２ａが形成される。一対の取付面８１２ａは、回動軸部材８１２の周面の一部に平面状に形成され、軸方向に離間して並んで配置される。一対の取付面８１２ａにおいては、クリップ部材８８により、引き上げアーム部材８１を固定できる。一対の取付面８１２ａが軸方向に並んで複数設けられることにより、引き上げアーム部材８１の軸方向の位置を選択して調整できる。
【００３３】
引き上げアーム部材８１の筒状軸部８３の軸方向の一方側の端部側には、クリップ配置溝８３１が形成される。クリップ配置溝８３１には、図６に示すように、筒状軸部８３に回動軸部材８１２を挿入した状態で、クリップ部材８８が嵌め込まれ、回動軸部材８１２に引き上げアーム部材８１が固定される。
【００３４】
クリップ配置溝８３１は、図５及び図６に示すように、上溝８３１ａと、下溝８３１ｂと、一対の側方貫通溝８３１ｃと、を有する。上溝８３１ａ、側方貫通溝８３１ｃ、下溝８３１ｂ及び側方貫通溝８３１ｃは、筒状軸部８３の軸方向の一方側の端部側において、筒状軸部８３の周方向に沿って配置される。一対の側方貫通溝８３１ｃは、筒状軸部８３の幅方向の両側部において、筒状軸部８３の側面を側方に貫通して上下方向に延びる溝状に形成される。また、クリップ配置溝８３１には、上方側において、一対のクリップ係合部８３２が形成される。一対のクリップ係合部８３２には、後述するクリップ部材８８の一対の係合爪８８３が係合可能である。
【００３５】
クリップ部材８８は、回動軸部材８１２の一対の取付面８１２ａを挟み込む一対の挟み込み直線部８８１と、一対の挟み込み直線部８８１の上端部を接続する接続部８８２と、を有する。一対の挟み込み直線部８８１は、それぞれ、下方側の先端に形成される係合爪８８３を有する。クリップ部材８８は、一対の挟み込み直線部８８１が、互いが離れる側に弾性変形可能に構成される。一対の挟み込み直線部８８１は、回動軸部材８１２の一対の取付面８１２ａにおいて互いが近づく側に弾性力を付与して、回動軸部材８１２を挟み込む。
【００３６】
クリップ部材８８は、図６に示すように、筒状軸部８３の内部に回動軸部材８１２を挿入した状態で、クリップ配置溝８３１に嵌め込まれることで、引き上げアーム部材８１を回動軸部材８１２に固定する。詳細には、クリップ部材８８は、一対の係合爪８８３がクリップ配置溝８３１の下溝８３１ｂに係合することで、側方貫通溝８３１ｃにおいて露出された回動軸部材８１２の一対の取付面８１２ａを一対の挟み込み直線部８８１により挟み込んで、回動軸部材８１２を保持する。
【００３７】
引き上げアーム部材８１の軸方向の位置を変更する場合には、図７（ａ）に示すように、クリップ部材８８の係合爪８８３をクリップ配置溝８３１の下溝８３１ｂに係合させることで、一対の挟み込み直線部８８１が回動軸部材８１２を挟み込んで引き上げアーム部材８１を固定した状態から、図７（ｂ）に示すように、クリップ部材８８を上方側に引き上げて、一対の挟み込み直線部８８１を外側に弾性変形させて撓ませた状態で、一対の係合爪８８３を筒状軸部８３の上方側に形成された一対のクリップ係合部８３２に係合させる。この状態においては、クリップ部材８８が回動軸部材８１２を挟み込んでいないため、引き上げアーム部材８１の軸方向の位置を変更できる。これにより、クリップ部材８８を取り外さずに、引き上げアーム部材８１の軸方向の位置を変更できる。
【００３８】
なお、本実施形態においては、一対のクリップ係合部８３２を、引き上げアーム部材８１の筒状軸部８３の上方側に形成したが、これに限定されない。例えば、図８（ａ）に示すように、一対のクリップ係合部８３２Ａを、引き上げアーム部材８１Ａの筒状軸部８３Ａの下方側に形成してもよい。この場合においても、クリップ部材８８の一対の挟み込み直線部８８１が回動軸部材８１２を挟み込んで引き上げアーム部材８１Ａを固定した状態から、図８（ｂ）に示すように、クリップ部材８８を上方側に引き上げて、一対の挟み込み直線部８８１を外側に弾性変形させて撓ませた状態で、一対の係合爪８８３を筒状軸部８３Ａの下方側に形成された一対のクリップ係合部８３２Ａに係合させる。この状態においては、クリップ部材８８が回動軸部材８１２を挟み込んでいないため、引き上げアーム部材８１Ａの軸方向の位置を変更できる。これにより、一対のクリップ係合部８３２Ａを引き上げアーム部材８１Ａの筒状軸部８３Ａの下方側に形成した場合においても、クリップ部材８８を取り外さずに、引き上げアーム部材８１Ａの軸方向の位置を変更できる。
【００３９】
次に、引き上げアーム部材８１の筒状軸部８３の軸方向の他方側に配置される延出板８４及び玉鎖取付部８５について説明する。図９は、引き上げアーム部材８１を大洗浄側に回動させた状態を示す図であり、（ａ）は斜視図であり、（ｂ）はＢ−Ｂ線断面図である。図１０は、引き上げアーム部材８１を小洗浄側に回動させた状態を示す図である。図１１は、引き上げアーム部材８１の変形形態を示す斜視図であり、（ａ）は斜視図であり、（ｂ）はＣ−Ｃ線断面図である。
【００４０】
引き上げアーム部材８１は、前述の通り、図９（ａ）に示すように、筒状軸部８３と、筒状軸部８３の先端から径方向の外側に延びる延出板８４と、延出板８４の径方向の外側の端部において回動軸部材８１２の軸方向の外側に突出する玉鎖取付部８５と、を有する。
【００４１】
延出板８４は、筒状軸部８３の軸方向の他方側の端部において、筒状軸部８３から、筒状軸部８３の径方向の外側に延出する板材により形成される。
玉鎖取付部８５は、延出板８４における筒状軸部８３の径方向の端部に配置される。玉鎖取付部８５は、延出板８４の径方向の外側において回動軸部材８１２の軸方向の外側に突出して配置される。
【００４２】
玉鎖取付部８５は、大洗浄用取付部８６と、小洗浄用取付部８７と、を有する。大洗浄用取付部８６及び小洗浄用取付部８７は、玉鎖取付部８５において、筒状軸部８３の軸方向に並んで配置される。小洗浄用取付部８７及び大洗浄用取付部８６は、玉鎖取付部８５における筒状軸部８３の軸方向において、筒状軸部８３側に小洗浄用取付部８７が配置され、筒状軸部８３と反対側に大洗浄用取付部８６が配置される。
【００４３】
大洗浄用取付部８６及び小洗浄用取付部８７は、延出板８４に平行に形成される第１仕切板８２１及び第２仕切板８２２により、仕切られて配置されている。延出板８４、第１仕切板８２１及び第２仕切板８２２は、筒状軸部８３の径方向に延びる板状に形成され、互いに平行に配置される。第１仕切板８２１及び第２仕切板８２２は、延出板８４から筒状軸部８３と反対側に離間して配置され、延出板８４に近い側から遠い側に、この順に並んで配置される。
【００４４】
引き上げアーム部材８１は、回動軸部材８１２が回動軸Ｊを中心に回動されることで、回動軸部材８１２と同軸の筒状軸部８３が回動軸Ｊを中心に回動して、第１回動方向Ｃ１（図４における時計回り）にα１（例えば９０°）回動された大洗浄の場合の大洗浄位置と、第２回動方向Ｃ２（図４における反時計回り）にα２（例えば９０°）回動される小洗浄位置と、に回動可能に構成される。
【００４５】
図９（ａ）に示すように、電動洗浄機構部８により大洗浄が実行された場合には、引き上げアーム部材８１は、大洗浄位置に配置される。大洗浄位置においては、引き上げアーム部材８１は、筒状軸部８３の回動軸Ｊを中心に回動して、第１回動方向Ｃ１（図４における時計回り）にα１（例えば９０°）回動される。この状態においては、第１仕切板８２１及び第２仕切板８２２は、筒状軸部８３の一方側（後側）に略水平方向に延びて形成される。この場合に、引き上げアーム部材８１の大洗浄用取付部８６は、第１玉鎖７１を引き上げることができる。
【００４６】
大洗浄用取付部８６は、引き上げアーム部材８１が大洗浄位置に配置された場合に、第１仕切板８２１と第２仕切板８２２との間において、図９（ｂ）に示すように、第１引っ掛け部８６１（玉鎖取付部）と、第１ガイド面８６２（ガイド面）と、を有する。
【００４７】
第１引っ掛け部８６１は、導入スリット８６１ａと、引っ掛け孔８６１ｂと、を有する。導入スリット８６１ａは、筒状軸部８３から径方向の外側に離間した位置において、上端から下方に延びるスリット状に形成される。導入スリット８６１ａの下端部には、引っ掛け孔８６１ｂが形成される。第１引っ掛け部８６１においては、導入スリット８６１ａには、第１玉鎖７１の上部側が導入され、引っ掛け孔８６１ｂには、導入スリット８６１ａを導入された第１玉鎖７１が引っ掛けられる。
【００４８】
第１ガイド面８６２は、引き上げアーム部材８１が第１玉鎖７１を引き上げる場合に、第１玉鎖７１を下方からガイドする面であり、回動軸に直交する方向の外側を向く面により形成される。第１ガイド面８６２は、第１直線状ガイド面８６３（横方向ガイド面）と、第１円弧状ガイド面８６４（下方ガイド面）と、を有する。第１ガイド面８６２は、基端から先端に向けて延びて形成される。第１ガイド面８６２の基端は、第１ガイド面８６２において、第１引っ掛け部８６１側に位置する部分である。第１ガイド面８６２の先端は、第１ガイド面８６２において、基端と反対側の端部である。
【００４９】
第１直線状ガイド面８６３は、引き上げアーム部材８１が第１玉鎖７１を引き上げる場合に、上方側を向く面であり、第１引っ掛け部８６１側に位置する第１ガイド面８６２の基端の位置から、筒状軸部８３の径方向の外側（便器装置１００の後側）に向けて略水平（横方向）に直線状に延びて形成される。
【００５０】
第１円弧状ガイド面８６４は、第１直線状ガイド面８６３の第１引っ掛け部８６１とは反対側の端部から、第１直線状ガイド面８６３に連続して下方に延びる。本実施形態においては、第１円弧状ガイド面８６４は、中心角を略９０度とした下方に向かう円弧状に形成される。第１ガイド面８６２の先端側（一部）は、第１円弧状ガイド面８６４により曲面形状に形成される。本実施形態においては、第１ガイド面８６２の先端側とは、より好ましくは、引き上げアーム部材８１を回動させない状態では第１玉鎖７１に接触しない部分であり、かつ、引き上げアーム部材８１を回動させた際に第１玉鎖７１が接触する部分である。
【００５１】
以上のように構成される大洗浄用取付部８６においては、引き上げアーム部材８１が回動された場合において、第１玉鎖７１は、下方から第１直線状ガイド面８６３により直線状にガイドされて、第１円弧状ガイド面８６４により下方に曲がるようにガイドされる。そのため、第１玉鎖７１は、第１円弧状ガイド面８６４において、カーブ状の曲面において下方からガイドされる。よって、第１玉鎖７１が鋭角に曲がることが抑制され、第１玉鎖７１の耐久性を向上させることができる。
【００５２】
また、図１０（ａ）に示すように、電動洗浄機構部８により小洗浄が実行された場合には、引き上げアーム部材８１は、小洗浄位置に配置される。小洗浄位置においては、引き上げアーム部材８１は、引き上げアーム部材８１は、筒状軸部８３の回動軸Ｊを中心に回動して、第２回動方向Ｃ２（図４における反時計回り）にα２（例えば９０°）回動される。この状態においては、第１仕切板８２１及び第２仕切板８２２は、筒状軸部８３の他方側（前側）に略水平方向に延びて形成される。この場合に、引き上げアーム部材８１の小洗浄用取付部８７は、第２玉鎖７２を引き上げることができる。
【００５３】
小洗浄用取付部８７は、引き上げアーム部材８１が小洗浄位置に配置された場合に、延出板８４と第１仕切板８２１との間において、図１０（ｂ）に示すように、第２引っ掛け部８７１（玉鎖取付部）と、第２ガイド面８７２（ガイド面）と、を有する。第２ガイド面８７２は、第２直線状ガイド面８７３（横方向ガイド面）と、第２円弧状ガイド面８７４（下方ガイド面）と、を有する。ここで、小洗浄用取付部８７の構成は、前述の大洗浄用取付部８６と、便器装置１００の前後に対称の構造であるため、対応する符号を付けて、大洗浄用取付部８６の説明を援用して、その説明を省略する。
【００５４】
以上説明した本実施形態に係る便器洗浄装置１によれば、例えば、以下のような効果が奏される。
本実施形態の便器洗浄装置１は、洗浄水を貯留する便器洗浄タンク２と、便器洗浄タンク２の排水口２１を開閉する排水弁７と、回動軸部材８１２と、排水弁７に接続される玉鎖７１，７２と、玉鎖７１、７２が取り付けられる引っ掛け部８６１、８７１を有し、回動軸部材８１２と玉鎖７１，７２とを接続し、回動軸部材８１２と一体で回動することで玉鎖７１、７２を引き上げる引き上げアーム部材８１と、を備え、引き上げアーム部材８１は、引き上げアーム部材８１が玉鎖７１，７２を引き上げる場合に、玉鎖７１，７２を下方からガイドするガイド面８６２，８７２を有し、ガイド面８６２，８７２は、引っ掛け部８６１、８７１側に位置する基端から先端に向けて延びて形成され、引き上げアーム部材８１が玉鎖７１，７２を引き上げる場合において、基端から横方向に延びる直線状ガイド面８６３，８７３と、下方に向けて延びる円弧状ガイド面８６４，８７４を有し、ガイド面８６２，８７２の少なくとも一部は、曲面形状に形成される。そのため、玉鎖７１、７２は、円弧状ガイド面８６４，８７４において、カーブ状の曲面において下方からガイドされる。よって、玉鎖７１、７２が鋭角に曲がることが抑制され、玉鎖７１、７２の耐久性を向上させることができる。
【００５５】
また、本実施形態においては、大洗浄用の第１ガイド面８６２及び小洗浄用の第２ガイド面８７２は、回動軸部材８１２の軸方向にずらした位置に配置される。これにより、第１ガイド面８６２及び第２ガイド面８７２を回動軸部材８１２の軸方向にずらした位置に配置することで、引き上げアーム部材８１における回動軸部材８１２の軸方向に直交する方向の大きさをコンパクトに形成できる。よって、薄型の便器洗浄装置１を実現できる。
【００５６】
次に、前記実施形態の変形形態について説明する。図１１は、前記実施形態の変形形態の引き上げアーム部材９１を示す斜視図である。図１２は、変形形態の引き上げアーム部材９１を大洗浄位置又は小洗浄位置に回動させた状態を示す図である。
【００５７】
変形形態の引き上げアーム部材９１は、図１１に示すように、待機位置に位置する場合に、引き上げアーム部材９１を軸方向に視た場合に、中心角１８０°の半円の円弧状に形成され、円弧部分が下方を向くように配置される。引き上げアーム部材９１は、半円の中心が、筒状軸部９３の回動軸Ｊと同軸になるように接続されている。引き上げアーム部材９１は、筒状軸部９３と、玉鎖取付部９４と、を有する。なお、筒状軸部９３の構成は、前記実施形態の筒状軸部８３の構成と同様の構成である。
【００５８】
玉鎖取付部９４は、一対の仕切半円板９４１を有する。一対の仕切半円板９４１は、筒状軸部９３の軸方向に離間して配置される。一対の仕切半円板９４１の間には、大洗浄用取付部９５及び小洗浄用取付部９６が配置される。大洗浄用取付部９５及び小洗浄用取付部９６は、便器装置１００の前後に対称の形状に形成される。大洗浄用取付部９５及び小洗浄用取付部９６は、中心角１８０°の範囲の半円の円弧状部の周方向に連続して配置される。
【００５９】
引き上げアーム部材９１は、回動軸部材８１２が回動軸Ｊを中心に回動されることで、回動軸部材８１２と同軸の筒状軸部９３が回動軸Ｊを中心に回動して、第１回動方向Ｃ１（図１２（ａ）における時計回り）にα３（例えば９０°）回動された大洗浄の場合の大洗浄位置と、第２回動方向Ｃ２（図１２（ｂ）における反時計回り）にα４（例えば９０°）回動される小洗浄位置と、に回動可能に構成される。
【００６０】
本実施形態においては、引き上げアーム部材９１は、待機位置においては、引き上げアーム部材９１を軸方向に視た場合に、下方の半分が円弧状になる位置に配置され、大洗浄位置においては、一方側（図１２（ａ）における左側、便器装置１００の後側）が円弧状になる位置に配置され、小洗浄位置においては、他方側（図１２（ｂ）における右側、便器装置１００の前側）が円弧状になる位置に配置される。
【００６１】
大洗浄用取付部９５は、引き上げアーム部材９１が大洗浄位置に配置された場合に、図１２（ａ）に示すように、大洗浄側引っ掛け部９５１と、大洗浄側円弧ガイド面９５２（ガイド面）と、を有する。大洗浄側引っ掛け部９５１には、第１玉鎖７１の上部側が引っ掛けられる。大洗浄側円弧ガイド面９５２は、第１玉鎖７１をガイドする円弧状の面である。
【００６２】
小洗浄用取付部９６は、引き上げアーム部材９１が小洗浄位置に配置された場合に、図１２（ｂ）に示すように、小洗浄側引っ掛け部９６１と、小洗浄側円弧ガイド面９６２（ガイド面）と、を有する。小洗浄側引っ掛け部９６１には、第２玉鎖７２の上部側が引っ掛けられる。小洗浄側円弧ガイド面９６２は、第２玉鎖７２をガイドする円弧状の面である。
【００６３】
大洗浄側引っ掛け部９５１及び小洗浄側引っ掛け部９６１は、一対の仕切半円板９４１の周方向の両端部に配置され、大洗浄側円弧ガイド面９５２及び小洗浄側円弧ガイド面９６２は、回動軸Ｊに直交する方向の外側を向く曲面により形成され、半円（１８０度）の範囲で連続する。
【００６４】
大洗浄側円弧ガイド面９５２は、引き上げアーム部材９１が大洗浄位置に配置されて引き上げアーム部材９１が第１玉鎖７１を引き上げる場合に、第１玉鎖７１を下方からガイドする面である。大洗浄側円弧ガイド面９５２は、例えば、中心角９０°の円弧状に形成される。大洗浄側円弧ガイド面９５２は、図１２（ａ）に示す大洗浄位置に引き上げアーム部材９１が回動した場合において、頂部の基端から横方向に円弧状に延びる第１上方側円弧ガイド面９５２ａ（横方向ガイド面）と、第１上方側円弧ガイド面９５２ａに連続して下方に円弧状に延びる第１下方側円弧ガイド面９５２ｂ（下方ガイド面）と、を有する。
【００６５】
第１上方側円弧ガイド面９５２ａ及び第１下方側円弧ガイド面９５２ｂは、全体が一体で連続した円弧状に形成され、例えば、中心角９０°の円弧状である。なお、大洗浄側円弧ガイド面９５２の円弧状の部分の中心角は９０°に限定されない。また、本実施形態においては、第１上方側円弧ガイド面９５２ａ及び第１下方側円弧ガイド面９５２ｂの接続部分は特定されるものではなく、第１上方側円弧ガイド面９５２ａ及び第１下方側円弧ガイド面９５２ｂが円弧状に連続して形成されている。
【００６６】
小洗浄側円弧ガイド面９６２は、大洗浄側円弧ガイド面９５２に連続して形成される。小洗浄側円弧ガイド面９６２は、引き上げアーム部材９１が小洗浄位置に配置されて引き上げアーム部材９１が第２玉鎖７２を引き上げる場合に、第２玉鎖７２を下方からガイドする面である。小洗浄側円弧ガイド面９６２は、中心角９０°の円弧状に形成される。小洗浄側円弧ガイド面９６２は、図１２（ｂ）に示す小洗浄位置に引き上げアーム部材９１が回動した場合において、第２上方側円弧ガイド面９６２ａ（横方向ガイド面）と、第２上方側円弧ガイド面９６２ａに連続して下方に円弧状に延びる第２下方側円弧ガイド面９６２ｂ（下方ガイド面）と、を有する。小洗浄側円弧ガイド面９６２は、大洗浄側円弧ガイド面９５２と便器装置１００の前後に対称の形状であるため、小洗浄側円弧ガイド面９６２の説明は、対応する符号を付けて、大洗浄側円弧ガイド面９５２の説明を援用して、その説明を省略する。
【００６７】
このように構成される玉鎖取付部９４においては、大洗浄用取付部９５及び小洗浄用取付部９６が筒状軸部９３の軸方向において同じ位置に配置され、大洗浄側円弧ガイド面９５２及び小洗浄側円弧ガイド面９６２は、周方向に連続して配置される。
【００６８】
以上の変形形態によれば、引き上げアーム部材９１が回動された場合において、第１玉鎖７１は、大洗浄側円弧ガイド面９５２において、カーブ状の曲面において下方からガイドされ、第２玉鎖７２は、小洗浄側円弧ガイド面９６２において、カーブ状の曲面において下方からガイドされる。よって、前記実施形態と同様に、第１玉鎖７１が鋭角に曲がることが抑制され、第１玉鎖７１の耐久性を向上させることができる。また、第２玉鎖７２が鋭角に曲がることが抑制され、第２玉鎖７２の耐久性を向上させることができる。
【００６９】
また、変形形態によれば、大洗浄側円弧ガイド面９５２及び小洗浄側円弧ガイド面９６２が円弧状の面で形成されるため、玉鎖（第１玉鎖７１、第２玉鎖７２）を円弧の部分に沿って引き上げることができる。これにより、大洗浄側円弧ガイド面９５２及び小洗浄側円弧ガイド面９６２が円弧状の面で構成することで、直線状のガイド面で構成した場合と比べて、同じ引き上げ角度で引き上げた場合に、玉鎖（第１玉鎖７１、第２玉鎖７２）の引き上げ長さを長くすることができる。よって、少ない回動角度で、玉鎖（第１玉鎖７１、第２玉鎖７２）を引き上げることができる。
【００７０】
本発明は上記実施形態に限定されるものではなく、本発明の目的を達成できる範囲での変形、改良等は本発明に含まれる。
例えば、前記実施形態においては、ガイド面の少なくとも一部を、曲面形状に形成したが、これに限定されない。例えは、ガイド面の少なくとも一部を、傾斜形状に形成してもよいし、曲面形状と傾斜形状との組み合わせで形成してもよい。
【００７１】
また、前記実施形態においては、引き上げアーム部材８１，９１を、自動洗浄の便器洗浄装置１に適用した例について説明したが、これに限定されず、手動洗浄の便器洗浄装置に適用してもよい。
【００７２】
また、前記実施形態の変形形態では、引き上げアーム部材９１を中心角１８０°の半円の円弧状に形成したが、これに限定されない。引き上げアーム部材９１を扇形の円弧状に形成してもよい。
【符号の説明】
【００７３】
１  便器洗浄装置
２  便器洗浄タンク（タンク）
７  排水弁（開閉弁）
２１  排水口
７１  第１玉鎖（玉鎖）
７２  第２玉鎖（玉鎖）
８１、９１  引き上げアーム部材（アーム部材）
８１２  回動軸部材
８６１  第１引っ掛け部（玉鎖取付部）
８７１  第２引っ掛け部（玉鎖取付部）
８６２  第１ガイド面（ガイド面、大洗浄用ガイド面）
８６３  第１直線状ガイド面（横方向ガイド面）
８６４  第１円弧状ガイド面（下方ガイド面）
８７２  第２ガイド面（ガイド面、小洗浄用ガイド面）
８７３  第２直線状ガイド面（横方向ガイド面）
８７４  第２円弧状ガイド面（下方ガイド面）
９５２  大洗浄側円弧ガイド面（ガイド面）
９５２ａ  第１上方側円弧ガイド面（横方向ガイド面）
９５２ｂ  第１下方側円弧ガイド面（下方ガイド面）
９６２  小洗浄側円弧ガイド面（ガイド面）
９６２ａ  第２上方側円弧ガイド面（横方向ガイド面）
９６２ｂ  第２下方側円弧ガイド面（下方ガイド面）
【図１】
2019190204.tif 000003
【図２】
2019190204.tif 000004
【図３】
2019190204.tif 000005
【図４】
2019190204.tif 000006
【図５】
2019190204.tif 000007
【図６】
2019190204.tif 000008
【図７】
2019190204.tif 000009
【図８】
2019190204.tif 000010
【図９】
2019190204.tif 000011
【図１０】
2019190204.tif 000012
【図１１】
2019190204.tif 000013
【図１２】
2019190204.tif 000014